(57)【要約】【課題】特定の病状と当該病状に効く茶類との関係が一覧的に見ることができ、服用者が茶類の選択を誤って服用することを防止する。【解決手段】医薬的効能を有する茶類の名称と、当該茶類の適応症の内容とを対応させて表示された茶類の表示媒体であって、茶類はその適応症ごとに複数種にグループ分けをされており、当該各グループには所定の色彩に対応していることを特徴とする茶類の表示媒体。【選択図】図１
2005145037.tif 000002
【特許請求の範囲】
【請求項１】
医薬的効能を有する茶類の名称と、当該茶類の適応症の内容とを対応させて表示された茶類の表示媒体であって、茶類はその適応症ごとに複数種にグループ分けをされており、当該各グループには所定の色彩に対応していることを特徴とする茶類の表示媒体。
【請求項２】
色彩は赤、青、黒、白、黄の５色である請求項１記載の茶類の表示媒体
【請求項３】
色彩、茶類の種類、適応症および効能が一体的に表示されている請求項１若しくは請求項２記載の茶類の表示媒体。
【請求項４】
茶類は複数種の岩茶から選択されたものである請求項１ないし請求項３のいずれかに記載の茶類の表示媒体。
【請求項５】
１枚の用紙に１種類の色彩が表示されている請求項１ないし請求項４のいずれかに記載の茶類の表示媒体。
【発明の詳細な説明】
【技術分野】
【０００１】  本発明は、医薬的効能を有する茶類の名称と、当該茶類の適応症の内容とを対応させて表示された茶類の表示媒体に関し、服用者が自己の症状とを特定することによって当該病状に効果の茶類を容易に選択し得るものである。
【背景技術】
【０００２】  茶類、特に中国茶は、古来より医薬的効能（病気を治癒させる効力）や功能（免疫力を高め罹病し難くさせる効力）があることが知られており、当該茶類を薬用として飲用していたが、どの種類の茶がどのような症状に効くかは体系的には解明されておらず、各自が経験的に処方し飲用していた。【０００３】  従って、これを明らかにした先行技術文献は存在しない。
る（例えば特許文献１参照）。
【発明の開示】
【発明が解決しようとする課題】
【０００４】  前述のように、従来はどの種類の茶がどのような症状に効くかは体系的には解明されておらず、各自の経験則に委ねられていたため、特定の病状と当該病状に効く茶類とが一致せずに、いくら飲用しても病状が改善せず、場合によってはそのミスマッチから悪化する事態もあった。【０００５】  本発明は前記の課題を解決せんとするものであり、誰でもが自分の病状を特定すれば直ちに当該病状に効く茶類を選択し得る表示媒体を実現せんとするものである。
【課題を解決するための手段】
【０００６】  第１の発明は、医薬的効能を有する茶類の名称と、当該茶類の適応症の内容とを対応させて表示された茶類の表示媒体であって、茶類はその適応症ごとに複数種にグループ分けをされており、当該各グループには所定の色彩に対応していることを特徴とする茶類の表示媒体である。【０００７】  第２の発明は、第１の発明を前提とし、色彩は赤、青、黒、白、黄の５色である茶類の表示媒体である。【０００８】  第３の発明は、第１もしくは第２の発明を前提としており、色彩、茶類の種類、適応症および効能が一体的に表示されている茶類の表示媒体である。【０００９】  第４の発明は、第１ないし第３のいずれかの発明を前提としており、茶類は複数種の岩茶から選択されたものである茶類の表示媒体である。【００１０】  第５の発明は、第１ないし第４のいずれかの発明を前提としており、１枚の用紙に１種類の色彩が表示されている茶類の表示媒体である。
【発明の効果】
【００１１】  第１の発明では、茶類はその適応症ごとに複数種にグループ分けをされており、当該各グループは所定の色彩に対応しているので、服用者が自己の症状を特定すると、当該症状に効く茶類の色彩が特定され、当該色彩が特定されるとそれに関連する茶類が具体的に判明するので、服用者は本発明にかかる表示媒体を見ることによって自分の症状に合致した薬効のある茶類を正確に且つ迅速に選択することが可能となる。【００１２】  第２の発明では、色彩は赤、青、黒、白、黄の５色であり相互に紛らわしい色彩ではないので、飲用者はこれらの色彩を極めて容易に弁別することが可能となる。【００１３】  第３の発明では、色彩、茶類の種類、適応症および効能等が一体的に表示されているので、服用者にとって一覧性があり容易に目的の茶類を見出すことが可能となる。【００１４】  第４の発明では、茶類は複数種の岩茶から選択されたものであるので、その医薬的効能は大である。【００１５】  第５の発明では、１枚の用紙に１種類の色彩が表示されているので、一覧性があって専門家でなくとも極めて容易に症状とそれに適する茶類を選択することが可能となる。
【発明を実施するための最良の形態】
【００１６】  本発明の実施の形態を図１ないし図５に基づいて説明する。【００１７】  これらの図には夫々異なる表示媒体（用紙）を示し、各用紙には夫々青・赤・黄・白・黒の５色の色彩が表示されており、これは中国哲学の所謂陰陽五行に基づく色彩である。【００１８】  具体的には図１の「五色」の爛１には青色のインキで、「青」と記載されており、適応症の欄２には適応症の症例と岩茶の効能が対応して記載されている。【００１９】  また、青の「岩茶」の欄３には、８種類の岩茶が表示されている。【００２０】  ここで、岩茶とは中国福建省北部の山岳の岩場等に自生する茶類でミネラル分を豊富に含むことが知られている。【００２１】  更に、「指示」の欄４には各種症状と色彩の関係が表示されている。【００２２】  而して、服用者が自分の症状、例えば右肩が凝ったと判断した場合には、各用紙の「適応症」の欄２を縦覧し、図１に示す青の岩茶を選択すれば、当該右肩の凝りに対応することが可能となる。【００２３】  なお、各用紙にはその他陰陽五行に関する情報や注意事項、適当な食べ物などが表示されている。【００２４】  図２ないし図５に記載の用紙には、前記図１に示す用紙に記載の適応症と夫々異なる適応症と色彩が表示されており、服用者はいずれかの用紙を選択し自分の症状に適した岩茶を選択することができる。
各「五色」の欄に表示されている色彩は、その表示されているし色彩のインキで記載されている。【００２５】  なお、本実施の形態では、青・赤・黄・白・黒の５色の色彩が採用されているが、これ以外の色彩を使用することは可能であり、また茶類としては医薬的効能を有する茶類であれば岩茶に限られることはない。【００２６】  更に、本実施の形態では、表示媒体として用紙が使用されているが、表示媒体としては用紙に限らずコンピュータなどの電子媒体を利用することも可能である。
【図面の簡単な説明】
【００２７】
【図１】本発明の一実施の形態に係る青の色彩に関連する表示媒体の平面図である。
【図２】本発明の一実施の形態に係る赤の色彩に関連する表示媒体の平面図である。
【図３】本発明の一実施の形態に係る黄の色彩に関連する表示媒体の平面図である。
【図４】本発明の一実施の形態に係る白の色彩に関連する表示媒体の平面図である。
【図５】本発明の一実施の形態に係る黒の色彩に関連する表示媒体の平面図である。
【符号の説明】
【００２８】      １    「五色」の爛
２    「適応症」の欄
３    「岩茶」の欄
４    「指示」の欄
【図１】
2005145037.tif 000003
【図２】
2005145037.tif 000004
【図３】
2005145037.tif 000005
【図４】
2005145037.tif 000006
【図５】
2005145037.tif 000007